(57)【要約】【課題】ネットワーク内に、同一のコンテンツが複数存在する場合に、コンテンツが途中で終了してしまうことを防止したい。【解決手段】接続処理部２０４は、接続している携帯端末装置が保有する再生可能なコンテンツに関する情報を取得する。プレイリスト管理部２１８は、取得した情報をもとに生成したプレイリストであって、かつ同一のコンテンツに対する優先順位が付加されたプレイリストを管理し、プレイリストにもとづいて再生すべきコンテンツを提供する携帯端末装置を決定する。コンテンツ受信処理部２０８は、決定した携帯端末装置に対して、コンテンツの送信を要求する。コンテンツ処理部２１０は、要求に応じて携帯端末装置によって送信されたコンテンツを受信するとともに再生する。【選択図】図３
2008301246.tif 000002
【特許請求の範囲】
【請求項１】
コンテンツを保持している携帯端末装置からネットワークを介してコンテンツを受信するとともに再生する再生装置であって、
接続している携帯端末装置が保有する再生可能なコンテンツに関する情報を取得する取得部と、
前記取得部において取得した情報をもとに生成したプレイリストであって、かつ同一のコンテンツに対する優先順位が付加されたプレイリストを管理し、プレイリストにもとづいて、再生すべきコンテンツを提供する携帯端末装置を決定する再生管理部と、
前記再生管理部において決定した携帯端末装置に対して、コンテンツの送信を要求するコンテンツ要求部と、
前記コンテンツ要求部からの要求に応じて携帯端末装置によって送信されたコンテンツを受信するとともに再生するコンテンツ再生部とを備え、
前記再生管理部において管理しているプレイリストは、コンテンツの品質、コンテンツを保有している携帯端末装置の電池残量、携帯端末装置との間の通信速度のいずれか、あるいはそれらを組み合わせた情報にもとづいた優先順位が付加されていることを特徴とする再生装置。
【請求項２】
携帯端末装置から、接続の切断に関する切断通知を受信する切断通知受信部をさらに備え、
前記再生管理部は、前記切断通知受信部が切断通知を受信すると、切断通知を送信した携帯端末装置が保有しているコンテンツに関する情報をプレイリストから削除するとともに、切断通知を送信した携帯端末装置が保有しているコンテンツを再生している場合に、プレイリストにおける優先順位をもとに、同一のコンテンツを保持している別の携帯端末装置への切替を決定することを特徴とする請求項１に記載の再生装置。
【請求項３】
前記再生管理部は、切替の際に、コンテンツの再生済み時間がしきい値以下である場合に、コンテンツの先頭部分から再生を行い、コンテンツの未再生時間が別のしきい値以下である場合に、コンテンツの切替を行わず、次に再生を予定しているコンテンツの再生を開始することを特徴とする請求項２に記載の再生装置。
【請求項４】
前記再生管理部は、切替の際に、コンテンツの再生済み時間をもとに、切替前のコンテンツの再生部分の近傍から再生を開始することを特徴とする請求項２に記載の再生装置。
【請求項５】
前記再生管理部は、切替の際に、コンテンツの再生済み時間がしきい値以下である場合に、コンテンツの先頭部分から再生を行い、コンテンツの未再生時間が別のしきい値以下である場合に、コンテンツの切替を行わず、次に再生を予定しているコンテンツの再生を開始し、その他の場合に、切替前のコンテンツの再生部分の近傍から再生を開始することを特徴とする請求項２に記載の再生装置。
【請求項６】
携帯端末装置から、電池残量のレベルの変化が示された電池残量通知を受信する電池残量通知受信部をさらに備え、
前記再生管理部は、前記電池残量通知受信部が電池残量通知を受信すると、プレイリストにおけるコンテンツの優先順位を更新することを特徴とする請求項１に記載の再生装置。
【請求項７】
コンテンツを保持している携帯端末装置からネットワークを介してコンテンツを受信するとともに再生する再生方法であって、
接続している携帯端末装置が保有する再生可能なコンテンツに関する情報を取得するステップと、
取得した情報をもとに生成したプレイリストであって、かつ同一のコンテンツに対する優先順位が付加されたプレイリストを管理し、プレイリストにもとづいて、再生すべきコンテンツを提供する携帯端末装置を決定するステップと、
決定した携帯端末装置に対して、コンテンツの送信を要求するステップと、
要求に応じて携帯端末装置によって送信されたコンテンツを受信するとともに再生するステップとを備え、
前記携帯端末装置を決定するステップにおけるプレイリストは、コンテンツの品質、コンテンツを保有している携帯端末装置の電池残量、携帯端末装置との間の通信速度のいずれか、あるいはそれらを組み合わせた情報にもとづいた優先順位が付加されていることを特徴とする再生方法。
【発明の詳細な説明】
【技術分野】
【０００１】
本発明は、再生技術に関し、特にコンテンツを再生する再生方法および装置に関する。
【背景技術】
【０００２】
ネットワークを介して、サーバが再生装置へコンテンツを配信・受信する技術が提案されている。例えば、サーバは、再生装置の情報処理能力、ネットワークの負荷状態に応じて、同一内容で品質の異なる複数のコンテンツから適合するものを選択する（例えば、特許文献１参照）。
【特許文献１】特開２００３−２８１０３２号公報
【発明の開示】
【発明が解決しようとする課題】
【０００３】
自動車には、コンテンツを再生可能な再生装置、例えば、カーナビゲーションシステムやオーディオ機器などが搭載されている。再生装置は、ＣＤ、ＤＶＤ、ＨＤＤ、あるいやネットワークを介して接続された端末装置が保有しているコンテンツを再生可能である。また、携帯端末装置にさまざまなコンテンツを記録する機能が搭載されるとともに携帯音楽プレーヤの普及が進んでいる。このような状況下において、複数の人間が同乗している車内には、コンテンツを記憶している端末装置が複数存在することもありえる。そこで、車内に存在する複数の端末装置に記憶されているコンテンツを、そのコンテンツがどの端末装置に記憶されているかを意識することなく楽しむシステムが考えられている。
【０００４】
しかしながら、システムを構成する端末装置がモバイル機器である場合、特に、各端末装置の有する機能、能力に差が生じやすく、保持しているコンテンツの品質も異なることがある。また、複数の端末装置に、同一のコンテンツが保有されていることもある。その他、電池残量がなくなる、通話等の処理を行う等の理由で、再生装置との接続を切断することも考えられる。
【０００５】
本発明はこうした状況に鑑みてなされたものであり、その目的は、ネットワーク内に、同一のコンテンツが複数存在する場合に、コンテンツが途中で終了してしまうことを防止する技術を提供することである。
【課題を解決するための手段】
【０００６】
上記課題を解決するために、本発明のある態様の再生装置は、コンテンツを保持している携帯端末装置からネットワークを介してコンテンツを受信するとともに再生する再生装置であって、接続している携帯端末装置が保有する再生可能なコンテンツに関する情報を取得する取得部と、取得部において取得した情報をもとに生成したプレイリストであって、かつ同一のコンテンツに対する優先順位が付加されたプレイリストを管理し、プレイリストにもとづいて、再生すべきコンテンツを提供する携帯端末装置を決定する再生管理部と、再生管理部において決定した携帯端末装置に対して、コンテンツの送信を要求するコンテンツ要求部と、コンテンツ要求部からの要求に応じて携帯端末装置によって送信されたコンテンツを受信するとともに再生するコンテンツ再生部とを備える。再生管理部において管理しているプレイリストは、コンテンツの品質、コンテンツを保有している携帯端末装置の電池残量、携帯端末装置との間の通信速度のいずれか、あるいはそれらを組み合わせた情報にもとづいた優先順位が付加されている。
【０００７】
本発明の別の態様は、再生方法である。この方法は、コンテンツを保持している携帯端末装置からネットワークを介してコンテンツを受信するとともに再生する再生方法であって、接続している携帯端末装置が保有する再生可能なコンテンツに関する情報を取得するステップと、取得した情報をもとに生成したプレイリストであって、かつ同一のコンテンツに対する優先順位が付加されたプレイリストを管理し、プレイリストにもとづいて、再生すべきコンテンツを提供する携帯端末装置を決定するステップと、決定した携帯端末装置に対して、コンテンツの送信を要求するステップと、要求に応じて携帯端末装置によって送信されたコンテンツを受信するとともに再生するステップとを備える。携帯端末装置を決定するステップにおけるプレイリストは、コンテンツの品質、コンテンツを保有している携帯端末装置の電池残量、携帯端末装置との間の通信速度のいずれか、あるいはそれらを組み合わせた情報にもとづいた優先順位が付加されている。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ネットワーク内に、同一のコンテンツが複数存在する場合に、コンテンツが途中で終了してしまうことを防止できる。
【発明を実施するための最良の形態】
【００１０】
本発明を具体的に説明する前に、概要を述べる。本発明の実施例は、携帯電話装置や携帯音楽プレーヤ等の携帯端末装置が保有しているコンテンツを、そのコンテンツがどの携帯端末装置が保有しているかを意識することなく再生するコンテンツ再生システムに関する。再生装置は、車内に存在する携帯端末装置から、保持しているコンテンツに関する情報を取得し、プレイリストを作成する。再生装置は、プレイリストにもとづいて再生を実行する。ここで、複数の携帯端末装置が存在すれば、同一のコンテンツが複数存在する場合もある。そのような場合、再生装置は、コンテンツの品質、電池残量、通信状態などを考慮して、優先順位を付加する。
【００１１】
再生中のコンテンツを記憶している携帯端末装置が話を開始したり、携帯端末装置の電池残量が少なくなる等の理由によって、携帯端末装置と再生装置と間の接続が切断される場合、携帯端末装置は再生装置に切断する旨を通知する。再生装置が携帯端末装置の切断を知ると、再生装置は、再生中のコンテンツと同一のコンテンツを保持する携帯端末装置が他に存在するかを探索する。存在する場合、再生装置は、他の携帯端末装置が保有する同一のコンテンツに切りかえる。その際、コンテンツの再生済み部分が第１しきい値以下であれば、切りかえたコンテンツを先頭から再生し、未再生部分が第２しきい値以下であれば、次のコンテンツの再生に移行してもよい。また、現在の再生部分の近傍からの再生が行われてもよい。
【００１２】
一方、携帯端末装置が切断する際に、同一のコンテンツを保有している他の携帯端末装置が存在しない場合、再生装置は、そのコンテンツの再生をフェードアウトさせた後、そのコンテンツと同種のコンテンツを先頭から再生する。ここで、同種のコンテンツとは、例えば、同じアーティスト、同じジャンルのコンテンツを示す。再生装置は、コンテンツをランダムに並べたプレイリストにしたがって再生していくが、場合によっては、その状況にあったコンテンツを優先的に再生することも可能である。再生装置がカーナビゲーション装置である場合、走行速度等によって、高速道路走行中、渋滞中などを判断することが可能となる。そこで、高速道路走行中には、眠気を覚ますようなアップテンポのコンテンツが、渋滞中にはストレスが軽減するようなコンテンツが、優先的に再生される。
【００１３】
図１は、本発明の実施例に係るコンテンツ再生システム５００の構成を示す。コンテンツ再生システム５００は、携帯端末装置１０と総称される第１携帯端末装置１０ａ、第２携帯端末装置１０ｂ、第３携帯端末装置１０ｃ、再生装置２０を含む。携帯端末装置１０として、携帯電話装置、携帯音楽プレーヤ、ノートＰＣ等が例示され、再生装置２０には、カーナビゲーション装置、オーディオ機器等が例示される。
【００１４】
携帯端末装置１０は、無線ＬＡＮへの接続機能を供えたモバイル機器であり、内蔵するメモリにさまざまなコンテンツを保持する。携帯端末装置１０は、無線ＬＡＮを介して接続された再生装置２０に、保持したコンテンツを送信し、再生装置２０にコンテンツを再生させることも可能である。携帯端末装置１０は、再生装置２０と接続する際に、自身が保持し、再生装置２０へ送信可能なコンテンツを示す情報（以下、「送信コンテンツ情報」という）を再生装置２０に送信する。携帯端末装置１０は、無線ＬＡＮに接続可能であるが、他の媒介を通じた通信を行うなどの理由によって無線ＬＡＮとの接続を切断する。同様に、携帯端末装置１０は、内蔵の充電池の残量が設定値より少なくなった場合にも、無線ＬＡＮとの接続を切断する。携帯端末装置１０は、無線ＬＡＮの接続を切断する際には、接続している再生装置２０へ切断する旨の通知（以下、「切断通知」という）を送信する。
【００１５】
再生装置２０は、無線ＬＡＮへの接続機能を備え、無線ＬＡＮを介して接続している携帯端末装置１０などが保持しているコンテンツを受信するとともに再生する。再生装置２０は、接続している携帯端末装置１０から送信コンテンツ情報を受信し、それらを用いて、再生するコンテンツの順序などを示したプレイリストを作成する。その際、複数の携帯端末装置１０が、同一の内容のコンテンツを保有している場合、再生装置２０は、それらをひとつのコンテンツとして扱う。さらに、再生装置２０は、優先順位を決定する。
【００１６】
優先順位は、コンテンツの品質、携帯端末装置１０の通信速度、電池残量などを考慮して決定する。また、再生装置２０は、携帯端末装置１０からの切断通知を受信すると、プレイリストに記載されているコンテンツのうち、携帯端末装置１０が保有するコンテンツを削除し、それに応じて優先順位などを更新する。また、その時点で再生しているコンテンツが切断通知を送信した携帯端末装置１０が保有しているものである場合には、プレイリストを参照し、次に優先順位が高いコンテンツを受信し、シームレスに切りかえる。
【００１７】
図２は、携帯端末装置１０の構成を示す。携帯端末装置１０は、無線ＬＡＮ通信Ｉ／Ｆ１０２、接続処理部１０４、機器情報記憶部１０６、コンテンツ送信処理部１０８、コンテンツ記憶部１１０、切断処理部１１２、電池残量検知部１１４、操作検知部１１６を含む。
【００１８】
無線ＬＡＮ通信Ｉ／Ｆ１０２は、接続処理部１０４、コンテンツ送信処理部１０８、切断処理部１１２、電池残量検知部１１４からの依頼にもとづき、無線ＬＡＮを介して、各種の情報を送信する。また、無線ＬＡＮを介して受信した情報を、その内容にもとづき、接続処理部１０４、コンテンツ送信処理部１０８に出力する。接続処理部１０４は、携帯端末装置１０が再生装置２０に接続する際の処理を行う。ユーザによって操作検知部１１６に接続指示が入力されると、接続処理部１０４は、機器情報記憶部１０６に記憶されている機器情報をもとに接続通知を生成し、無線ＬＡＮ通信Ｉ／Ｆ１０２を介して再生装置２０に送信する。
【００１９】
また、接続処理部１０４は、接続通知に応じて、再生装置２０からの接続応答を受信すると、ユーザが再生装置２０を確認した後、送信元の再生装置２０へ接続要求し、接続を確立する。接続確立後、接続処理部１０４は、機器情報記憶部１０６に格納されている保有コンテンツ情報および機器情報、電池残量検知部１１４において検知された電池残量レベルにもとづいて送信コンテンツ情報を生成し、無線ＬＡＮ通信Ｉ／Ｆ１０２を介して再生装置２０に送信する。なお、接続通知、保有コンテンツ情報の詳細については、後述する。
【００２０】
機器情報記憶部１０６は、自身の機器情報および保有コンテンツ情報を記憶している。機器情報は、接続処理部１０４が接続通知を送信する際に参照される。また機器情報および保有コンテンツ情報は、再生装置２０との接続確立後、接続処理部１０４が送信コンテンツ情報を生成、送信する際に参照される。コンテンツ送信処理部１０８は、再生装置２０からのコンテンツ要求を受信し、それに対応したコンテンツをコンテンツ記憶部１１０から取得する。そして、取得したコンテンツを無線ＬＡＮ通信Ｉ／Ｆ１０２を介して再生装置２０に送信する。このとき、コンテンツ要求に、再生済み時間が付加されている場合、それを考慮して、コンテンツの同じ部分の近傍から送信を開始する。
【００２１】
コンテンツ記憶部１１０は、再生装置２０で再生可能なコンテンツが記憶されている。記憶されているコンテンツは、コンテンツ送信処理部１０８によって再生装置２０に送信される。切断処理部１１２は、携帯端末装置１０が再生装置２０との接続を切断する際の処理を行う。図示しない他の媒介を通じて通信するときや電池残量検知部１１４において検知される電池残量がしきい値以下となったとき等に、切断処理部１１２は再生装置２０との接続を切断する。切断処理部１１２は、切断処理を実行する前に、再生装置２０に対して切断通知を送信し、その後切断処理を実行する。
【００２２】
電池残量検知部１１４は、携帯端末装置１０の電池残量レベルを検知する。検知した電池残量レベルに変化があった場合、無線ＬＡＮ通信Ｉ／Ｆ１０２を介して、その旨を示す電池残量通知を再生装置２０に送信する。また、検知した電池残量レベルは、接続処理部１０４が送信コンテンツ情報を送信する際に参照される。電池残量通知の詳細については、後述する。電池残量検知部１１４は、検知した電池残量レベルがしきい値以下であった場合に、切断処理部１１２に対して、再生装置２０との接続の切断を依頼する。操作検知部１１６は、ユーザによる操作を検知する。ユーザが、再生装置２０への接続指示の操作を実行すると、接続処理部１０４によって接続処理が実行される。
【００２３】
図３は、再生装置２０の構成を示す。再生装置２０は、無線ＬＡＮ通信Ｉ／Ｆ２０２、接続処理部２０４、機器情報記憶部２０６、コンテンツ受信処理部２０８、コンテンツ処理部２１０、切断通知処理部２１２、電池残量通知処理部２１４、プレイリスト管理部２１８を含む。
【００２４】
無線ＬＡＮ通信Ｉ／Ｆ２０２は、接続処理部２０４、コンテンツ受信処理部２０８からの依頼をもとに、各種の情報を、無線ＬＡＮを介して携帯端末装置１０に送信する。また、無線ＬＡＮ通信Ｉ／Ｆ２０２は、無線ＬＡＮを介して受信した情報を、その内容をもとに、接続処理部２０４、コンテンツ受信処理部２０８、切断通知処理部２１２、電池残量通知処理部２１４に出力する。
【００２５】
接続処理部２０４は、携帯端末装置１０からの接続通知を受信し、それに応じた接続応答を送信する。接続応答は、機器情報記憶部２０６に格納されている自身の機器情報をもとに生成、送信される。接続応答の詳細については後述する。接続処理部２０４は、携帯端末装置１０から接続要求を受けると、その携帯端末装置１０との接続を確立する。その後、接続処理部２０４は、接続している携帯端末装置１０から送信される送信コンテンツ情報を受信すると、プレイリスト管理部２１８に出力し、プレイリストへの追加登録を依頼する。送信コンテンツ情報とは、前述のごとく、送信可能なコンテンツに関する情報を示す。機器情報記憶部２０６は、自身の機器情報を記憶している。機器情報は、接続処理部２０４が接続応答を送信する際に参照される。
【００２６】
コンテンツ受信処理部２０８は、プレイリスト管理部２１８からの依頼をもとに、コンテンツを保有している携帯端末装置１０に、コンテンツの送信を要求する。なお、コンテンツの送信を要求すべき携帯端末装置１０は、後述のプレイリスト管理部２１８において決定される。プレイリスト管理部２１８からの依頼が、再生中のコンテンツを、同一の内容を持つ他のコンテンツへの切りかえを示すものであれば、コンテンツの再生済み時間をコンテンツ要求に付加する。その結果、携帯端末装置１０は、再生中の部分の近傍からコンテンツの送信を開始する。コンテンツ要求については、後述する。ただし、再生済み時間が第１しきい値以下である場合には、コンテンツ要求に再生済み時間を付加せず、コンテンツの冒頭からの送信を要求する。また、未再生部分が、第２しきい値以下である場合には、コンテンツの再生が終了したと、プレイリスト管理部２１８に通知する。なお、コンテンツ要求については、後述する。コンテンツ受信処理部２０８は、携帯端末装置１０がコンテンツ要求に応じて送信するコンテンツを受信し、その処理をコンテンツ処理部２１０に依頼する。また、コンテンツ受信処理部２０８は、コンテンツの再生が終了した場合に、その旨をプレイリスト管理部２１８に通知する。
【００２７】
コンテンツ処理部２１０は、コンテンツ受信処理部２０８において受信したコンテンツを再生する。切断通知処理部２１２は、携帯端末装置１０が接続を切断する際に送信する接続通知の処理を行う。切断通知処理部２１２は、無線ＬＡＮ通信Ｉ／Ｆ２０２を介して、接続の切断に関する切断通知を受信すると、送信元の携帯端末装置１０が保有するコンテンツをプレイリストから削除し、プレイリストを更新することをプレイリスト管理部２１８に依頼する。電池残量通知処理部２１４は、携帯端末装置１０が送信する電池残量通知を受信する。なお、電池残量通知は、電池残量のレベルの変化が示された情報である。電池残量通知処理部２１４は、携帯端末装置１０が保有するコンテンツに関して、優先順位の見直し等をプレイリスト管理部２１８に依頼する。
【００２８】
プレイリスト管理部２１８は、接続処理部２０４において取得した送信コンテンツ情報をもとに、コンテンツ処理部２１０において再生するコンテンツに関するプレイリストを作成・更新・管理している。なお、プレイリストには、同一のコンテンツに対する優先順位が付加されている。また、優先順位は、コンテンツの品質、コンテンツを保有している携帯端末装置１０の電池残量、携帯端末装置１０と間の通信速度のいずれか、あるいはそれらを組み合わせた情報にもとづいて決定される。プレイリスト管理部２１８は、プレイリストにもとづいて再生すべきコンテンツを提供する携帯端末装置１０を決定する。
【００２９】
プレイリスト管理部２１８は、接続処理部２０４からの依頼を受けつけると、新たに接続を確立した携帯端末装置１０が送信する送信コンテンツ情報をもとに、新たな携帯端末装置１０が保有するコンテンツをプレイリストに追加登録する。また、プレイリスト管理部２１８は、電池残量通知処理部２１４からの依頼をもとに、プレイリストの優先順位を更新する。具体的には、同一の内容の複数のコンテンツがプレイリストに記載されている場合、それらの中で保持している携帯端末装置１０の電池残量レベルによって、優先順位が決まる。例えば、プレイリスト管理部２１８は、電池残量レベルの多い携帯端末装置１０に対する優先順位を高くする。そのため、電池残量通知が示す電池残量レベルの変化により、プレイリストにおける優先順位が変更される。
【００３０】
切断通知処理部２１２が切断通知を受信した場合には、プレイリスト管理部２１８は、切断通知を送信した携帯端末装置１０が保有しているコンテンツをプレイリストから削除し、削除したコンテンツと同一の内容のコンテンツが存在する場合に、それらの優先順位を更新する。また、切断通知を送信した携帯端末装置１０が保有しているコンテンツを再生している場合、プレイリスト管理部２１８は、同一の内容のコンテンツが存在すれば、それらの中で優先順位が最も上位のものを選択する。また、プレイリスト管理部２１８は、コンテンツの切替をコンテンツ受信処理部２０８に依頼する。つまり、プレイリスト管理部２１８は、切断通知を送信した携帯端末装置１０が保有しているコンテンツを再生している場合に、プレイリストにおける優先順位をもとに、同一のコンテンツを保持している別の携帯端末装置１０への切替を決定する。
【００３１】
ここで、プレイリスト管理部２１８は、切替の際に、コンテンツの再生済み時間が第１しきい値以下である場合に、コンテンツの先頭部分から再生をコンテンツ受信処理部２０８に依頼する。また、プレイリスト管理部２１８は、コンテンツの未再生時間が第２しきい値以下である場合に、コンテンツの切替を行わず、次に再生を予定しているコンテンツの再生をコンテンツ受信処理部２０８に依頼する。また、プレイリスト管理部２１８は、その他の場合に、切替前のコンテンツの再生部分の近傍から再生をコンテンツ受信処理部２０８に依頼してもよい。なお、プレイリスト管理部２１８は、切替の際に、コンテンツの再生済み時間をもとに、切替前のコンテンツの再生部分の近傍から再生をコンテンツ受信処理部２０８に依頼するだけでもよい。
【００３２】
プレイリスト管理部２１８は、コンテンツ受信処理部２０８からコンテンツの終了の通知を受け取ると、次に再生するコンテンツをプレイリストから抽出し、その再生をコンテンツ受信処理部２０８に依頼する。また、プレイリスト管理部２１８は、同一内容のコンテンツがない場合、同種のコンテンツを検索し、そのコンテンツの再生をコンテンツ受信処理部２０８に依頼する。なお、同種のコンテンツとは、同一アーティストのコンテンツや同一ジャンルのコンテンツに相当する。
【００３３】
次に、本実施例において送受信される情報および作成されるリストについて説明する。接続通知とは、携帯端末装置１０が再生装置２０に接続したことを通知するための信号である。接続通知には、携帯端末装置１０の機器情報が記載されている。機器情報には、機器を識別するためのＩＤ、アドレスおよび対応可能無線通信プロトコルに関する情報が含まれている。接続通知は、接続処理部１０４から再生装置２０に送られる。接続処理部２０４が接続通知を受信すると、それに応じた接続応答を生成する。接続応答とは、再生装置２０が、受信した接続通知に応じて携帯端末装置１０に送信する信号である。接続応答には、再生装置２０の機器情報が含まれている。接続応答は、接続通知を受信した接続処理部２０４によって、機器情報記憶部２０６に格納されている機器情報をもとに生成され、無線ＬＡＮを介して携帯端末装置１０に送信される。接続処理部１０４は接続応答を受信すると、接続を確立した後、送信コンテンツ情報を送信する。
【００３４】
保有コンテンツ情報は、携帯端末装置１０のコンテンツ記憶部１１０に保持されているコンテンツに関する情報であり、機器情報記憶部１０６に記憶されている。保有コンテンツ情報は、保有しているコンテンツごとに、コンテンツ名、フォーマット、再生時間、ファイルサイズが記載されている。保有コンテンツ情報は、接続処理部１０４が送信コンテンツ情報を送信する際に参照される。送信コンテンツ情報は、再生装置２０との接続確立後、携帯端末装置１０の接続処理部１０４により生成、送信される。送信コンテンツ情報には、機器情報記憶部１０６に記憶されている機器情報および保有コンテンツ情報、電池残量検知部１１４において検知される電池残量レベルが含まれる。ただし、自身の機器情報および通信応答に含まれる再生装置２０の機器情報をもとに、再生装置２０への伝送等が困難であると判断したコンテンツに関しては、送信コンテンツ情報には記載しない。送信コンテンツ情報は、接続処理部２０４において受信されると、プレイリスト管理部２１８によって参照される。
【００３５】
プレイリストは、再生装置２０のプレイリスト管理部２１８が作成・更新・管理するリストであり、再生装置２０において再生可能なコンテンツに関する情報を記載したものである。プレイリストをもとに、コンテンツ受信処理部２０８が携帯端末装置１０に対してコンテンツを要求する。プレイリストは、コンテンツごとに、コンテンツ名、保有している携帯端末装置１０の機器ＩＤ、フォーマット、再生時間、ファイルサイズ、電池残量レベル、無線通信プロトコル、優先順位が記載されている。優先順位とは、複数の携帯端末装置１０が保持しているコンテンツに関して、ファイルサイズ、無線通信プロトコル、電池残量レベルをもとに、どの携帯端末装置１０が保持しているコンテンツを実際に再生するかを示すための情報である。
【００３６】
コンテンツ要求は、再生装置２０が携帯端末装置１０にコンテンツの送信を要求するための信号である。コンテンツ要求は、再生装置２０のコンテンツ受信処理部２０８によって生成、送信され、携帯端末装置１０のコンテンツ送信処理部１０８によって受信される。コンテンツ送信処理部１０８は、このコンテンツ要求をもとにコンテンツを送信する。コンテンツ要求には、コンテンツ名が記載されている。また、コンテンツ要求には、再生済み時間に関する情報が含まれていることがある。その場合、携帯端末装置１０は、再生済み時間に関する情報にもとづいて、再生箇所を判断し、その近傍から送信を開始する。切断通知とは、携帯端末装置１０が無線ＬＡＮの接続を切断する際に、その旨を再生装置２０に通知するために送信するための信号である。切断通知は、切断処理をする前に、切断処理部１１２によって送信され、再生装置２０の切断通知処理部２１２によって受信される。切断通知を受信すると、プレイリスト管理部２１８は、プレイリストの更新処理を実行する。
【００３７】
電池残量通知とは、携帯端末装置１０の電池残量検知部１１４において検知している携帯端末装置１０の電池残量のレベルに変化があったことを通知するための信号である。電池残量通知には、送信元の携帯端末装置１０の機器ＩＤおよび電池残量が記載されている。電池残量通知は、電池残量検知部１１４から再生装置２０に送られる。電池残量通知処理部２１４が受信した電池残量通知は、プレイリスト管理部２１８によって参照される。
【００３８】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
以上の構成によるコンテンツ再生システム５００の動作を説明する。図４は、携帯端末装置１０における接続手順を示すフローチャートである。ユーザにより、接続が指示されるまで（Ｓ６０２のＮ）、待機する。ユーザにより、接続が指示されると（Ｓ６０２のＹ）、機器情報記憶部１０６が保持している機器情報を用いて接続処理部１０４により接続通知が生成され、再生装置２０に送信される（Ｓ６０４）。接続通知に応じて再生装置２０が送信する接続応答の受信を待つ（Ｓ６０６）。一定期間が経過しても接続応答を受信できない場合には（Ｓ６０６のＮ）、ステップ６０２に戻る。一定期間内に再生装置２０からの接続応答を受信すると（Ｓ６０６のＹ）、ユーザにより接続先の再生装置２０が確認される（Ｓ６０８）。
【００４０】
このとき、複数の再生装置２０から接続応答があった場合には、ユーザがそのうちのひとつを選択する。再生装置２０が確認されない場合には（Ｓ６０８のＮ）、処理はステップ６０２に戻る。再生装置２０が確認された場合には（Ｓ６０８のＹ）、接続処理部１０４から接続要求を再生装置２０へ送信し（Ｓ６１０）、接続処理を行う（Ｓ６１２）。機器情報記憶部１０６の保有コンテンツ情報および機器情報、電池残量検知部１１４の検知結果を参照して送信コンテンツ情報を生成する。その際、接続応答に記載されている再生装置２０の対応可能無線通信プロトコルおよび機器情報記憶部１０６に格納されている機器情報に含まれた対応可能無線通信プロトコルを考慮して、伝送が困難であると考えられるコンテンツについては、除外する。生成した送信コンテンツ情報は、再生装置２０に送信される（Ｓ６１４）。
【００４１】
図５は、再生装置２０における接続手順を示すフローチャートである。接続処理部２０４は、携帯端末装置１０が送信した接続通知を受信しなければ（Ｓ７０２のＮ）、待機する。接続処理部２０４は、携帯端末装置１０が送信した接続通知を受信すると（Ｓ７０２のＹ）、それに対応する接続応答を送信する（Ｓ７０４）。一定期間内に携帯端末装置１０からの接続要求を受信できない場合には（Ｓ７０６のＮ）、ステップ７０２に戻る。一方、携帯端末装置１０からの接続要求を受信すると（Ｓ７０６のＹ）、接続処理を実行し（Ｓ７０８）、その後、携帯端末装置１０から送信される送信コンテンツ情報を待つ（Ｓ７１０）。送信コンテンツ情報を受信しなければ（Ｓ７１０のＮ）、待機する。送信コンテンツ情報を受信すると（Ｓ７１０のＹ）、プレイリストの管理処理を行い（Ｓ７１２）、処理を終了する。プレイリスト管理処理については、後述する。
【００４２】
図６は、再生装置２０における切断手順を示すフローチャートである。携帯端末装置１０は、図示しない他の媒介を通じて通信するときに、無線ＬＡＮとの接続を切断する。また、電池残量検知部１１４において検知している電池残量レベルがしきい値以下になった場合にも無線ＬＡＮとの接続を切断する。これらの理由で、無線ＬＡＮとの接続を切断する際、携帯端末装置１０は、事前に切断処理部１１２から切断通知を再生装置２０に送信し、その後、無線ＬＡＮとの通信を切断する。
【００４３】
携帯端末装置１０が送信した切断通知を切断通知処理部２１２が受信しなければ（Ｓ９０２のＮ）、待機する。携帯端末装置１０が送信した切断通知を切断通知処理部２１２が受信すると（Ｓ９０２のＹ）、送信元の携帯端末装置１０が、再生中のコンテンツを保有しているかを判断する（Ｓ９０４）。送信元の携帯端末装置１０が、再生中のコンテンツを保有している場合（Ｓ９０４のＹ）、そのコンテンツの未再生部分が第２しきい値以上残っているかを判断する（Ｓ９０６）。コンテンツの未再生部分が第２しきい値以下である場合には（Ｓ９０６のＮ）、処理がステップ９２２に移行する。一方、コンテンツの未再生部分が第２しきい値以上残っている場合には（Ｓ９０６のＹ）、再生中のコンテンツと同一のコンテンツを持った他の携帯端末装置１０があるかを確認する（Ｓ９０８）。
【００４４】
同一のコンテンツがある場合には（Ｓ９０８のＹ）、そのコンテンツの再生済み部分が第１しきい値以下であるかを判断する（Ｓ９１０）。再生済み部分が第１しきい値以下である場合（Ｓ９１０のＹ）、同一のコンテンツを先頭部分から送信するように携帯端末装置１０に要求し（Ｓ９１２）、処理をステップ９２４に移行させる。また、再生済み部分が第１しきい値以上ある場合（Ｓ９１０のＮ）、同一のコンテンツを保有している携帯端末装置１０に、現在のコンテンツの再生済み時間を通知して、コンテンツの途中部分からの送信を要求する（Ｓ９１４）。なお、コンテンツ要求を受信した携帯端末装置１０では、再生済み時間を考慮して、コンテンツの同じ部分もしくはそれに近い部分から送信を開始する。その後、再生装置２０の処理は、ステップ９２４に移行する。
【００４５】
一方、再生中のコンテンツと同一のコンテンツがない場合には（Ｓ９０８のＮ）、再生中のコンテンツと同種のコンテンツがあるかを判断する（Ｓ９１６）。同種のコンテンツとは、同じアーティスト、同じジャンルのコンテンツを示す。同種のコンテンツがない場合には（Ｓ９１６のＮ）、プレイリストの次に記載されているコンテンツを、そのコンテンツを保有する携帯端末装置１０に要求した後に（Ｓ９２２）、処理がステップ９２４に移行する。一方、同種のコンテンツがある場合には（Ｓ９１６のＹ）、同種のコンテンツを保有している携帯端末装置１０を検索した後（Ｓ９１８）、同種のコンテンツを要求し（Ｓ９２０）、その後処理をステップ９２４に移行させる。
【００４６】
コンテンツ受信処理部２０８は、携帯端末装置１０が送信するコンテンツを受信し、コンテンツ処理部２１０は、コンテンツを再生する（Ｓ９２４）。一方、送信元の携帯端末装置１０が、再生中のコンテンツを保有していない場合（Ｓ９０４のＮ）、処理はステップ９２６まで処理をスキップする。その後、プレイリストの管理処理を行った後（Ｓ９２６）、切断処理を行い（Ｓ９２８）、処理が終了する。
【００４７】
図７は、再生装置２０におけるプレイリストの管理手順を示すフローチャートである。この動作は、携帯端末装置１０との接続を確立した後に再生装置２０が携帯端末装置１０から送信コンテンツ情報を取得したときや、携帯端末装置１０の電池残量のレベルに変化があったことを示す電池残量通知を受信したときや、切断通知を取得したときに実行される。まず、接続処理部２０４が送信コンテンツ情報を取得した場合（Ｓ８０２のＹ）、ステップ８０４からの処理が実行される。そうでない場合（Ｓ８０２のＮ）、電池残量通知処理部２１４が電池残量通知を受信したとき（Ｓ８１６のＹ）、ステップ８１８の処理が実行され、そうでない場合（Ｓ８１６のＮ）、ステップ８２２の処理が実行される。
【００４８】
ステップ８０４からの処理は、送信コンテンツ情報を取得した際のプレイリスト管理部２１８の管理動作である。送信コンテンツ情報を先頭に記載されているコンテンツに関する情報を抽出し（Ｓ８０４）、そのコンテンツと同一のコンテンツがプレイリストに記載されているかを判断する（Ｓ８０６）。記載されている場合（Ｓ８０６のＹ）、そのコンテンツの優先順位を再設定する（Ｓ８０８）。具体的には、プレイリストに記載されているコンテンツと送信コンテンツ情報に記載されているコンテンツの品質を比較し、高い方の優先順位を上位とする。同じ品質の場合には、保有している携帯端末装置１０の伝送速度が高い方を上位とし、それも同じであれば、電池残量レベルによって比較する。
【００４９】
また、品質、伝送速度に関わらず、保有している携帯端末装置１０の電池残量レベルがしきい値以下の場合には、優先順位を最下位とする。なお、携帯端末装置１０の伝送速度および電池残量レベルは、送信コンテンツ情報に付加されている。一方、抽出したコンテンツと同一のコンテンツがプレイリストに記載されていない場合（Ｓ８０６のＮ）、そのコンテンツをプレイリストに追加登録する（Ｓ８１０）。その後、送信コンテンツ情報に次のコンテンツがあるかを判断し（Ｓ８１２）、ある場合には（Ｓ８１２のＹ）、次のコンテンツに関する情報を抽出し（Ｓ８１４）、ステップ８０６からの処理を繰り返す。次のコンテンツがない場合には（Ｓ８１２のＮ）、処理が終了する。
【００５０】
次に、ステップ８１８は電池残量通知を取得した際のプレイリスト管理の動作である。電池残量通知を送信した携帯端末装置１０が保有するコンテンツを、プレイリストから抽出し、それぞれのコンテンツに対し、優先順位を変更する（Ｓ８１８）。なお、優先順位の決定はステップ８０８と同様に行う。その後、処理が終了する。また、ステップ８２０は、切断通知を取得した際のプレイリスト管理の動作である。切断通知を取得した場合（Ｓ８２０のＹ）、優先順位を変更する（Ｓ８２２）。なお、優先順位の決定はステップ８０８と同様に行う。切断通知を取得しない場合（Ｓ８２０のＮ）、ステップ８２２は、スキップされる。その後、処理が終了する。
【００５１】
以下に、本実施例の変形例を説明する。実施例において、再生装置２０は、複数のコンテンツの中からランダムに再生する。しかしながら、再生装置２０がカーナビゲーション装置であれば、走行状況を把握できる。また、走行速度によって、渋滞などの交通状況も判断できる。そこで、変形例では、これらの状況に合わせたコンテンツを優先的に再生する機能を付加させる。具体的には、予めコンテンツにメタデータを付加しておき、そのメタデータを利用して、その場にあったコンテンツを判断し、それらを優先的に再生させる。ここでは、実施例と同じ、あるいは同様のものについての説明は省略し、主に、実施例と異なる部分についてのみ説明する。
【００５２】
本変形例におけるコンテンツ再生システム５００は、図１に示されたコンテンツ再生システム５００と同様のタイプである。また、再生装置２０は、カーナビゲーション装置に相当する。携帯端末装置１０は、無線ＬＡＮで接続された再生装置２０で再生可能なコンテンツを保有している。コンテンツは、外部のサーバ、メモリ等から取得したものであり、メタデータが付加されている。メタデータは、コンテンツのアーティストや内容に関するものであり、メタデータには、取得する際にコンテンツに付加されているもの、入手後、携帯端末装置１０により自動で付加されるもの、ユーザに付加されるものがある。
【００５３】
図８は、本発明の変形例に係る携帯端末装置１０の構成を示す。携帯端末装置１０は、図２に示した携帯端末装置１０と同様のタイプであるが、メタデータ付加処理部１２６が付加されている。機器情報記憶部１０６は、機器情報および保有コンテンツ情報を保持している。機器情報は、図２における機器情報と同様である。保有コンテンツ情報は、図２における保有コンテンツ情報が保持している情報に加えて、メタデータが含まれる。メタデータの詳細については、後述する。操作検知部１１６は、ユーザが携帯端末装置１０に行った操作入力を検知し、その内容にしたがった動作を対応する各部に依頼する。操作検知部１１６は、図２における操作検知部１１６の働きに加えて、ユーザからメタデータの入力を受けつける。メタデータの入力を受けつけると、保有コンテンツ情報の更新を、メタデータ付加処理部１２６に依頼する。
【００５４】
メタデータ付加処理部１２６は、操作検知部１１６からの依頼にもとづき、機器情報記憶部１０６が保持している保有コンテンツ情報にメタデータを付加する。また、操作検知部１１６からの依頼をもとに、メタデータを消去する。また、メタデータ付加処理部１２６は、無線ＬＡＮあるいは、その他の図示しない媒介を通じてコンテンツを入手した際に、独自のメタデータを付加する。具体的には、入手したコンテンツの音量やその変化を検知し、最大音量レベル、平均の音量レベル、音量の変化具合を判断する。そして、その結果をもとに、「静か」(音量レベルが低い)、「穏やか」(音量の変化が小さい)、「にぎやか」(音量レベルが大きい)、「迫力がある」(音量の変化が大きい)等を付加し、保有コンテンツ情報に登録する。なお、メタデータには、このほか、そのコンテンツのアーティストや、「ジャズ」や「ポップス」などのジャンル、コンテンツの雰囲気などがあり、また、ユーザにより「渋滞中」や「朝」などを付加することも可能である。なお、メタデータは、ユーザによって入力されてもよい。
【００５５】
図９は、本発明の変形例に係る再生装置２０の構成を示す。再生装置２０は、無線ＬＡＮを介して、携帯端末装置１０が保有するコンテンツを受信し、再生する。再生装置２０は、送信コンテンツ情報に記載されているメタデータを使用しながら、自身が検知、判定するドライブ状況をもとに、その場に適したコンテンツを優先的に再生する。再生装置２０は、図３に示した再生装置２０と同様のタイプであるが、走行速度検知部２３０、走行位置検知部２３２、ドライブ状況判定部２３４、適合データ対応情報記憶部２３６、判定テーブル記憶部２３８、地図情報記憶部２４０を含む。
【００５６】
走行速度検知部２３０は、再生装置２０を搭載している車の走行速度を検知する。検知結果は、ドライブ状況判定部２３４により参照される。走行位置検知部２３２は、図示しないＧＰＳ情報処理部において測定した現在位置と、地図情報記憶部２４０が保持している地図情報をもとに、走行位置の状況を検知する。検知結果は、ドライブ状況判定部２３４により参照される。地図情報記憶部２４０は、地図情報を記憶している。地図情報は、走行位置検知部２３２により参照される。
【００５７】
ドライブ状況判定部２３４は、走行速度検知部２３０および走行位置検知部２３２の検知結果をもとに、ドライブ状況を判断する。ドライブ状況とは、「通常モード」、「高速道路走行モード」、「夜間モード」、「早朝モード」であり、検知した走行速度および走行位置をもとにドライブ状況判定部２３４が決定する。これは、判定テーブル記憶部２３８が保持している判定テーブルを参照することによって行われる。
【００５８】
判定テーブルとは、各ドライブ状況と、対応する条件が記載されているテーブルである。例えば、「高速道路走行モード」には、「走行速度８０km/h以上が５分以上持続する」、「地図上で高速道路に対応する場所を走行している」という条件が記載されており、これらの条件が充足されたとき、ドライブ状況判定部２３４は、ドライブ状況が「高速道路走行モード」であると決定する。このほか、「走行速度20km/h以下が５分以上持続する」であれば、「渋滞モード」、「時刻が午後８時から午前５時の間」であれば、「夜間モード」、「時刻が午後５時から午前８時の間」であれば「早朝モード」であると判断される。
【００５９】
また、判定テーブルには、各ドライブモードに対し、優先順位が設定されている。優先順位とは、複数のモードの条件を同時に充足した場合、どのモードに設定するかを判断するための基準である。例えば、「渋滞モード」、「高速道路走行モード」、「夜間モード」、「早朝モード」、「通常モード」の順で、優先順位が低くなっていくとする。この場合、午前７時に走行速度80km/h以上で走り続けていると、「高速道路走行モード」と「早朝モード」の両方の条件を充足することになるが、より優先順位が高い「高速道路走行モード」に設定されることになる。
【００６０】
ドライブ状況判定部２３４は、ドライブ状況が変化したと判断すると、その旨をプレイリスト管理部２１８に通知する。判定テーブル記憶部２３８は、ドライブ状況判定部２３４がドライブ状況を決定する際に利用する判定テーブルを保持している。プレイリスト管理部２１８は、プレイリストの管理を行っている。プレイリスト管理部２１８は、図３におけるプレイリスト管理部２１８が行う動作の他に次のような動作を行う。
【００６１】
プレイリスト管理部２１８は、ドライブ状況判定部２３４からドライブ状況を取得すると、適合データ対応情報記憶部２３６が保持している適合テータ対応情報をもとに、優先的に再生するコンテンツを抽出する。具体的には、ドライブ状況判定部２３４から取得したドライブ状況に適合するメタデータを適合データ対応情報から取得する。適合データ対応情報とは、各ドライブ状況と、その状況に応じたメタデータが対応づけられているテーブルであり、例えば「高速道路走行モード」や「夜間モード」では、運転手が眠くならないようなコンテンツであることを示すメタデータが対応づけられている。例えば、「アップテンポ」、「ジャズ」、「にぎやか」等である。同様に、「早朝モード」では、「穏やか」、「爽やか」などが対応づけられている。ドライブ状況判定部２３４は、ドライブ状況に適したメタデータを、適合データ応用情報から取得すると、それらのメタデータが付加されているコンテンツを抽出する。そして、抽出したコンテンツを優先的に再生されるようにプレイリストを更新する。
【００６２】
本発明の実施例によれば、複数の人が保持しているメモリに入っているコンテンツを再生し、その場にある複数のコンテンツを無駄なく楽しむことができる。また、そのときの状況に応じたコンテンツを優先的に再生することによって、快適な環境を提供することができる。また、再生途中で、再生装置との接続が困難になった場合には、他の携帯端末装置にあるコンテンツに切りかえることによって、コンテンツが途中で終了してしまう可能性を低減できる。また、優先順位を決定する際に電池残量を考慮するので、電池残量の多い携帯端末装置を選択できる。
【００６３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６４】
本発明の実施例において、通信網は、無線ＬＡＮであるとした。しかしながらこれに限らず例えば、通信網は、ＩＥＥＥ８０２．１５規格に準拠した通信システム等であってもよい。また、無線ＬＡＮでなく、有線ＬＡＮであってもよい。本変形例によれば、さまざまな通信システムを本発明に適用できる。
【００６５】
本発明の実施例において、プレイリスト管理部２１８は、コンテンツの再生済み部分および未再生部分の時間によって、先頭から再生、途中から再生、次のコンテンツを再生とパターンに区別している。しかしながらこれに限らず例えば、プレイリスト管理部２１８は、どのような場合でも途中から再生してもよい。また、プレイリスト管理部２１８は、先頭から再生と次のコンテンツの再生のふたつのパターンのみにしてもよく、その他これらを自由に組み合わせてもよい。また、ユーザによって設定可能とすることができる。
【００６６】
本発明の変形例において、携帯端末装置１０は、ユーザからの入力を受けつけることよって、メタデータを付加している。しかしながらこれに限らず例えば、携帯端末装置１０は、再生中のコンテンツに対して、コンテンツを保有している携帯端末装置１０以外の携帯端末装置１０からのメタデータの入力を受けつけてもよい。このメタデータは、再生装置２０が保持しているプレイリストのみに追加してもよいし、そのコンテンツを保有している携帯端末装置１０の保有コンテンツ情報にも反映されてもよい。本変形例によれば、メタデータの入力の自由度を向上できる。
【図面の簡単な説明】
【００６７】
【図１】本発明の実施例に係るコンテンツ再生システムの構成を示す図である。
【図２】図１の携帯端末装置の構成を示す図である。
【図３】図１の再生装置の構成を示す図である。
【図４】図２の携帯端末装置における接続手順を示すフローチャートである。
【図５】図３の再生装置における接続手順を示すフローチャートである。
【図６】図３の再生装置における切断手順を示すフローチャートである。
【図７】図３の再生装置におけるプレイリストの管理手順を示すフローチャートである。
【図８】本発明の変形例に係る携帯端末装置の構成を示す図である。
【図９】本発明の変形例に係る再生装置の構成を示す図である。
【符号の説明】
【００６８】
１０  携帯端末装置、  ２０  再生装置、  １０２  無線ＬＡＮ通信Ｉ／Ｆ、  １０４  接続処理部、  １０６  機器情報記憶部、  １０８  コンテンツ送信処理部、  １１０  コンテンツ記憶部、  １１２  切断処理部、  １１４  電池残量検知部、  １１６  操作検知部、  １２６  メタデータ付加処理部、  ２０２  無線ＬＡＮ通信Ｉ／Ｆ、  ２０４  接続処理部、  ２０６  機器情報記憶部、  ２０８  コンテンツ受信処理部、  ２１０  コンテンツ処理部、  ２１２  切断通知処理部、  ２１４  電池残量通知処理部、  ２１８  プレイリスト管理部、  ２３０  走行速度検知部、  ２３２  走行位置検知部、  ２３４  ドライブ状況判定部、  ２３６  適合データ対応情報記憶部、  ２３８  判定テーブル記憶部、  ２４０  地図情報記憶部、  ５００  コンテンツ再生システム。
【図１】
2008301246.tif 000003
【図２】
2008301246.tif 000004
【図３】
2008301246.tif 000005
【図４】
2008301246.tif 000006
【図５】
2008301246.tif 000007
【図６】
2008301246.tif 000008
【図７】
2008301246.tif 000009
【図８】
2008301246.tif 000010
【図９】
2008301246.tif 000011